【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
パッケージを予成形されたバッグのウェブから形成する方法であって、
予成形されたバッグのウェブを提供することであって、前記予成形されたバッグのウェブは、第１の伸長層および第２の伸長層と、第１の層および第２の層を密閉して継合する第１の側縁および第２の側縁と、前記第１の側縁と前記第２の側縁との間に延在する複数の横方向シールと、前記第１の層内の複数の第１の易壊線と、前記第２の層内の複数の第２の易壊線とを含み、前記第１の易壊線は、前記第２の易壊線より脆弱である、ことと、
前記第２の易壊線を完全に破断せずに、前記第１の易壊線を破断し、前記予成形されたバッグのウェブのバッグを開放することと
を含む、方法。
【請求項２】
第１の易壊線を破断することは、送り出し機構の逆送り出しを含む、請求項１に記載のパッケージを予成形されたバッグのウェブから形成する方法。
【請求項３】
第１の易壊線を破断することは、前記第１の層と接触する第１の送り出しローラと、前記第２の層と接触する第２の送り出しローラとを備え、前記第１の送り出しローラは、前記第２の送り出しローラより高速で回転される、請求項１に記載のパッケージを予成形されたバッグのウェブから形成する方法。
【請求項４】
第１の易壊線を破断することは、係合部材を備える、請求項１に記載のパッケージを予成形されたバッグのウェブから形成する方法。
【請求項５】
前記係合部材は、電動デバイスを備え、前記電動デバイスは、前記第１の層を前記第２の層に対して移動させることにより前記第１の易壊線を破断する部分を有する、請求項４に記載のパッケージを予成形されたバッグのウェブから形成する方法。
【請求項６】
前記係合部材は、延在可能部分を備える、請求項４に記載のパッケージを予成形されたバッグのウェブから形成する方法。
【請求項７】
前記係合部材は、ばね部材を備える、請求項４に記載のパッケージを予成形されたバッグのウェブから形成する方法。
【請求項８】
第１の易壊線を破断することは、送り出し機構の逆送り出しをさらに含む、請求項４に記載のパッケージを予成形されたバッグのウェブから形成する方法。
【請求項９】
製品を前記開放されたバッグの中に挿入することと、
前記バッグを前記第１の易壊線および前記第２の易壊線に近接してシールすることと、
前記第２の易壊線を破断し、前記バッグを前記ウェブから分離することと
をさらに含む、請求項１に記載のパッケージを予成形されたバッグのウェブから形成する方法。
【請求項１０】
前記バッグは、空気によって開放された状態で保持される、請求項９に記載のパッケージを予成形されたバッグのウェブから形成する方法。
【請求項１１】
前記第２の易壊線を破断することは、送り出し機構の逆送り出しを含む、請求項９に記載のパッケージを予成形されたバッグのウェブから形成する方法。
【請求項１２】
前記予成形されたバッグのウェブは、供給ロール上に提供される、請求項１に記載のパッケージを予成形されたバッグのウェブから形成する方法。
【手続補正２】
【補正対象書類名】明細書
【補正対象項目名】０００９
【補正方法】変更
【補正の内容】
【０００９】
本開示の別の例示的実施形態は、パッケージを予成形されたバッグのウェブから形成するための方法に関する。本方法は、予成形されたバッグのウェブを提供するステップと、第２の易壊線を完全に破断せずに、第１の易壊線を破断し、予成形されたバッグのウェブのバッグを開放させるステップとを含む。予成形されたバッグのウェブは、第１および第２の伸長層と、第１および第２の層を密閉して継合する第１および第２の側縁と、第１および第２の側縁間に延在する複数の横方向シールと、第１の層内の複数の第１の易壊線と、第２の層内の複数の第２の易壊線とを含む。第１の易壊線は、第２の易壊線より脆弱である。
本発明は、例えば、以下を提供する。
（項目１）
予成形されたバッグのウェブであって、
第１の層および第２の層と、
前記第１の層および前記第２の層を密閉して継合する第１の側縁および第２の側縁と、
前記第１の側縁と前記第２の側縁との間に延在する複数の横方向シールと、
前記第１の層内の複数の第１の易壊線と、
前記第２の層内の複数の第２の易壊線と、
を備え、
前記第１の易壊線は、前記第２の易壊線より脆弱であり、
前記予成形されたバッグは、前記第１の側縁および前記第２の側縁と、前記第１の易壊線および前記第２の易壊線と、前記横方向シールとによって画定される、
予成形されたバッグのウェブ。
（項目２）
前記第１の易壊線は、前記第２の易壊線にわたって重畳される、項目１に記載の予成形されたバッグのウェブ。
（項目３）
前記第１の易壊線を破断するために要求される第１の破断力は、実質的に、前記第２の易壊線を破断するために要求される第２の破断力未満である、項目１に記載の予成形されたバッグのウェブ。
（項目４）
前記第１の破断力および前記第２の破断力は、前記第１の易壊線および前記第２の易壊線に直交して印加される引張力である、項目２に記載の予成形されたバッグのウェブ。
（項目５）
前記第１の易壊線および前記第２の易壊線は、穿孔から形成される、項目１に記載の予成形されたバッグのウェブ。
（項目６）
前記第１の易壊線の穿孔は、前記第２の易壊線の穿孔より長い、項目５に記載の予成形されたバッグのウェブ。
（項目７）
前記第１の易壊線は、プラスチックの皮地によって分離される伸長切目を含む、項目１に記載の予成形されたバッグのウェブ。
（項目８）
前記第１の層は、第１の材料から形成され、前記第２の層は、第２の材料から形成され、前記第１の材料は、前記第２の材料より脆弱である、項目１に記載の予成形されたバッグのウェブ。
（項目９）
パッケージを予成形されたバッグのウェブから形成する方法であって、
予成形されたバッグのウェブを提供するステップであって、前記予成形されたバッグのウェブは、第１の伸長層および第２の伸長層と、第１の層および第２の層を密閉して継合する第１の側縁および第２の側縁と、前記第１の側縁および前記第２の側縁間に延在する複数の横方向シールと、前記第１の層内の複数の第１の易壊線と、前記第２の層内の複数の第２の易壊線とを含み、前記第１の易壊線は、前記第２の易壊線より脆弱である、ステップと、
前記第２の易壊線を完全に破断せずに、前記第１の易壊線を破断し、前記予成形されたバッグのウェブのバッグを開放するステップと、
を含む、方法。
（項目１０）
第１の易壊線を破断するステップは、送り出し機構の逆送り出しステップを含む、項目９に記載のパッケージを予成形されたバッグのウェブから形成する方法。
（項目１１）
第１の易壊線を破断するステップは、前記第１の層と接触する第１の送り出しローラと、前記第２の層と接触する第２の送り出しローラとを備え、前記第１の送り出しローラは、前記第２の送り出しローラより高速で回転される、項目９に記載のパッケージを予成形されたバッグのウェブから形成する方法。
（項目１２）
第１の易壊線を破断するステップは、係合部材を備える、項目９に記載のパッケージを予成形されたバッグのウェブから形成する方法。
（項目１３）
前記係合部材は、前記第１の層を前記第２の層に対して移動させ、前記第１の易壊線を破断する部分を有する、電動デバイスを備える、項目１２に記載のパッケージを予成形されたバッグのウェブから形成する方法。
（項目１４）
前記係合部材は、延在可能部分を備える、項目１２に記載のパッケージを予成形されたバッグのウェブから形成する方法。
（項目１５）
前記係合部材は、ばね部材を備える、項目１２に記載のパッケージを予成形されたバッグのウェブから形成する方法。
（項目１６）
第１の易壊線を破断するステップはさらに、送り出し機構の逆送り出しステップを含む、項目１２に記載のパッケージを予成形されたバッグのウェブから形成する方法。
（項目１７）
製品を前記開放されたバッグの中に挿入するステップと、
前記バッグを前記第１の易壊線および前記第２の易壊線に近接してシールするステップと、
前記第２の易壊線を破断し、前記バッグを前記ウェブから分離するステップと、
をさらに含む、項目９に記載のパッケージを予成形されたバッグのウェブから形成する方法。
（項目１８）
前記バッグは、空気によって開放された状態で保持される、項目１７に記載のパッケージを予成形されたバッグのウェブから形成する方法。
（項目１９）
前記第２の易壊線を破断するステップは、送り出し機構の逆送り出しステップを含む、項目１７に記載のパッケージを予成形されたバッグのウェブから形成する方法。
（項目２０）
前記予成形されたバッグのウェブは、供給ロール上に提供される、項目９に記載のパッケージを予成形されたバッグのウェブから形成する方法。